(57)【要約】【課題】頂板外周部から内外両筒を垂下するキャップ本体と、該キャップ本体上面へ嵌合させた蓋体とを各後部でヒンジ連結し、蓋体開蓋でキャップ本体頂壁に付設した小ノズルから液体注出可能とする蓋体付きキャップにおいて、蓋体開放操作が容易とした。【解決手段】キャップ本体外筒５上部の左右両部を切離して形成した押釦９、９の上部内面と、これ等内方の内筒４部分の下部外面とを弾性傾斜板１０、１０で連結し、又これ等両押釦上方の蓋体２１周壁部分内面へ係止板２６、２６を付設し両押釦内方押込みで押釦上面が係止板２６、２６を介して蓋体２１前部を押上げ可能に形成した。【選択図】図２
2004352344.tif 000002
【特許請求の範囲】
【請求項１】
注出孔２ａ付き頂板３から、容器体口頸部外面へ嵌合させる内筒４と該内筒を囲む外筒５とを垂下し、かつ外筒上端部を上向き段部６を介して小外径筒部７とするキャップ本体１と、上記注出孔閉塞部付き頂壁２３外周から周壁２４を垂設した蓋体２１とを、各後部でヒンジ連結したキャップにおいて、
上記外筒５上部の左右両部を切離して形成した押釦９、９  の上部内面とこれ等押釦内方の内筒部分の下部外面とを弾性傾斜板１０、１０で連結し、
又これ等押釦の小外径部部分上端外面へ係合突条１１、１１を付設すると共にこれ等係合突条が対向する蓋体周壁部分へ、係合突条が嵌合する凹状の嵌合部２７、２７を穿設し、かつこれ等押釦上方の蓋体周壁部分内面へ係止板２６、２６を付設しておき、上記押釦内方押込みで係合突条が外れると共に押釦上面が上記係止板２６、２６を介して蓋体を押上げ可能に形成した
ことを特徴とする蓋体付きキャップ。
【請求項２】
注出孔２ａ付き頂板３から、容器体口頸部外面へ嵌合させる内筒４と該内筒を囲む外筒５とを垂下し、かつ外筒上端部を上向き段部６を介して小外径筒部７とするキャップ本体１と、上記注出孔閉塞部付き頂壁２３外周から周壁２４を垂設した蓋体２１とを、各後部でヒンジ連結したキャップにおいて、
上記外筒５の前壁上部を切離して形成した押釦９の上部内面と、該押釦内方の内筒部分の下部外面とを弾性傾斜板１０で連結し、
又該押釦の小外径部部分上端外面へ係合突条１１を付設すると共に該係合突条が対向する蓋体周壁部分へ、係合突条が嵌合する凹状の嵌合部２７を穿設し、かつ押釦上方の蓋体周壁部分内面へ係止板２６を付設しておき、上記押釦内方押込みで係合突条が外れると共に押釦上面が上記係止板２６を介して蓋体を押上げ可能に形成した
ことを特徴とする蓋体付きキャップ。
【発明の詳細な説明】
【０００１】
【発明の属する技術分野】
本発明は液体等注出用の蓋体付きキャップに関する。
【０００２】
【従来の技術】
小ノズルを起立する頂板から容器体口頸部外面へ嵌合させる内筒と該内筒を囲む外筒とを垂下し、該外筒上端部を小外径筒部とするキャップ本体と、上記小ノズル外面へ嵌合して密閉する小筒部を下面に有する頂壁外周から周壁を垂下して、該周壁下端部を上記小外径筒部へ嵌合させた蓋体とを、各後部でヒンジ連結し、該ヒンジを中心とする回動で蓋体の開閉が自在とし、又容器体外筒の左右両上半部を外筒から切離して弾性板に形成し、これ等弾性板を内方へ押込むと蓋体頂壁の裏面から垂下させた突部の斜面へ弾性板上端から延長された先端部が圧接して、突部を介して蓋体前部を押上げするよう設けた蓋体付きキャップが知られている（特許文献１）。
【０００３】
【特許文献１】
特許第３２７３３５９号公報
【０００４】
【発明が解決しようとする課題】
本発明も上記従来例のような小ノズル付きのキャップ本体後部へ、小ノズル密閉用の小筒部付き蓋体後部をヒンジ連結させて、蓋体を嵌合させたキャップに関するものであり、従来と異る機構での開蓋が容易としたものである。
【０００５】
【課題を解決するための手段】
第１の手段として、注出孔２ａ付き頂板３から、容器体口頸部外面へ嵌合させる内筒４と該内筒を囲む外筒５とを垂下し、かつ外筒上端部を上向き段部６を介して小外径筒部７とするキャップ本体１と、上記注出孔閉塞部付き頂壁２３外周から周壁２４を垂設した蓋体２１とを、各後部でヒンジ連結したキャップにおいて、
上記外筒５上部の左右両部を切離して形成した押釦９、９  の上部内面とこれ等押釦内方の内筒部分の下部外面とを弾性傾斜板１０、１０で連結し、
又これ等押釦の小外径部部分上端外面へ係合突条１１、１１を付設すると共にこれ等係合突条が対向する蓋体周壁部分へ、係合突条が嵌合する凹状の嵌合部２７、２７を穿設し、かつこれ等押釦上方の蓋体周壁部分内面へ係止板２６、２６を付設しておき、上記押釦内方押込みで係合突条が外れると共に押釦上面が上記係止板２６、２６を介して蓋体を押上げ可能に形成した。
【０００６】
第２の手段として、注出孔２ａ付き頂板３から、容器体口頸部外面へ嵌合させる内筒４と該内筒を囲む外筒５とを垂下し、かつ外筒上端部を上向き段部６を介して小外径筒部７とするキャップ本体１と、上記注出孔閉塞部付き頂壁２３外周から周壁２４を垂設した蓋体２１とを、各後部でヒンジ連結したキャップにおいて、
上記外筒５の前壁上部を切離して形成した押釦９の上部内面と、該押釦内方の内筒部分の下部外面とを弾性傾斜板１０で連結し、
又該押釦の小外径部部分上端外面へ係合突条１１を付設すると共に該係合突条が対向する蓋体周壁部分へ、係合突条が嵌合する凹状の嵌合部２７を穿設し、かつ押釦上方の蓋体周壁部分内面へ係止板２６を付設しておき、上記押釦内方押込みで係合突条が外れると共に押釦上面が上記係止板２６を介して蓋体を押上げ可能に形成した。
【０００７】
【発明の実施の形態】
以下図面について説明する。まず図１から図４が示す第１実施形態について説明すると、１はキャップ本体であり、該キャップ本体は、左右方向へ長い楕円形状としており、小ノズル２を起立する頂板３から、図２が示すように容器体口頸部の外面へ嵌合させる内筒４と該内筒４を囲んで外筒５を垂下し、外筒上端部は図１のように上向き段部６を介して小外径筒部７に形成している。内筒４は口頸部嵌合のため眞円としており、外筒５は楕円形状をなす。上記小ノズル２は半球形状をなし、その上部前面を斜面として該斜面中心に注出孔２ａを開口させている。
【０００８】
上記外筒５の上部の左右両部は他部から切離し線８穿設により切離して、押釦９、９とし、図２が示すようにその押釦９の上部内面とこれ等押釦内方の内筒部分の下部とを弾性傾斜板１０、１０で連結している。尚図示例では、押釦が有する小外径部分上端外面へ係合突条１１を付設しており、又押釦外面へ突部９ａ、９ａを付設している。
【０００９】
２１は蓋体で、該蓋体はキャップ本体１の後方上部へヒンジ２２を介して連結させている。該ヒンジは弾性反転可能なヒンジで行うとよく、該ヒンジを中心とする回動により蓋体２１はキャップ本体上面へ嵌合可能に形成する。該嵌合時において、頂壁２３外周から垂下する周壁２４下部を小外径筒部７外面へ嵌合させ、又周壁下端面を上向き段部６上面へ載置可能にしている。該蓋体もキャップ本体と同様に平面楕円形状としている。該蓋体は既述小ノズル２外面へ嵌合させて注出孔２ａを密閉できる小筒部２５を頂壁２３から垂下している。
【００１０】
上記押釦９、９上方の蓋体周壁部分内面へは頂壁から垂下させて係止板２６、２６を付設する。これ等係止板下端面は図２のように押釦９、９の上端面へ接するよう設けるとよい。又周壁の左右両部内面には、既述係合突条１１、１１が嵌合する凹状の嵌合部２７、２７を設けている。図示例では透孔でその嵌合部を形成するが、凹溝でもよい。尚蓋体周壁の前面へは蓋体押上げ用の滑り止め突部２８を付設している。。
【００１１】
上記構成において、図２が示す閉蓋状態から押釦９、９を内方へ押込みすると係合突条１１、１１が嵌合部２７、２７から抜出し、又押釦９、９は傾斜板１０、１０が急傾斜状態に弾性変形することで、図３が示すように上昇し、すると押釦上端が係止板２６、２６を介して蓋体を押上げすることとなる。よって該状態がヒンジ２２を中心に蓋体２１を開蓋し、該開蓋状態での容器体胴部圧搾等でノズル口２ａから注出できる。
【００１２】
閉蓋の際はヒンジを中心に回動させて蓋体を戻し、押下げする、該押下げで小筒部２５は小ノズル外面へ嵌合し、係合突条１１、１１は嵌合部２７、２７内へ嵌合する。
【００１３】
図５は第２実施形態を示す。該実施形態は、第１実施形態で外筒左右に設けた押釦を、外筒５前壁部にだけ設けたものであり、該押釦９はその後方の内筒部分下部と傾斜板で押釦上部内面と連結し、又押釦上方の蓋体周壁部分内面へ係止板を付設する。その他構造は第１実施形態の同じであり、同一符号を付することで説明は省略する。
【００１４】
尚キャップ本体と蓋体とは合成樹脂製材で一体成形させている。
【００１５】
既述注出孔２ａと該注出孔を密閉する蓋体頂壁の密閉部とは、どのように行ってもよく、例えば注出孔２ａを頂板３に直接穿設し、又蓋体下面から閉塞栓を垂下させて、閉蓋時に密閉され、開蓋により開孔するようにすることが考えられる。
【００１６】
【発明の効果】
本発明は既述構成とするもので、各請求項記載のようにすることで、押釦内方押込み以外の方法では開蓋が不能となり、よって幼児等の開蓋を防止して不測の事故の発生を防止出来る。
【００１７】
請求項１記載のようにすることで、外筒５左右両部で形成した押釦９、９が、弾性傾斜板１０、１０揺動で上昇し、係止板２６、２６を介して蓋体前部を押上げるから開蓋が容易である。
【００１８】
請求項２のようにすることで、押釦９、傾斜板１０、係止板２６はキャップの前部にだけ設ければよいこととなり、構成を簡易とすることが出来る。
【図面の簡単な説明】
【図１】開蓋状態で示す本発明キャップの斜視図である。
【図２】閉蓋状態で示す図１キャップの断面図である。
【図３】図２状態から押釦を押込みした状態で示す断面図である。
【図４】蓋体が僅かに開蓋した状態で示す斜視図である。
【図５】第２実施形態で示す、開蓋時キャップの斜視図である。
【符号の説明】
１…キャップ本体                    ３…頂板
４…内筒                  ５…外筒
７…小外径部                            ９…押釦
１０…傾斜板                              １１…係合突条
２１…蓋体                  ２２…ヒンジ
２６…係止板                ２７…嵌合部
【図１】
2004352344.tif 000003
【図２】
2004352344.tif 000004
【図３】
2004352344.tif 000005
【図４】
2004352344.tif 000006
【図５】
2004352344.tif 000007